(57)【要約】【課題】利用者が容易かつ客観的に、動作を評価することができる動作評価支援装置等を提供する。【解決手段】記憶部１２０に記憶している所定動作の複数のタイミングの動作状態を示した手本静止画像１２１を表示部１４０に表示する。プレーヤーが所定動作を実演しているところを撮影部１５０が撮影した撮影動画像１２２から抜き出した複数の撮影静止画像１２３を表示部１４０に表示する。操作者により撮影静止画像１２３から手本静止画像１２１に対応する対応静止画像１２４として選択された画像を、手本静止画像１２１と並べて表示する。コマ送り再生部１１５は、手本静止画像と対応静止画像をコマ送り再生する際に、互いに対応する手本静止画像と対応静止画像とが同時に表示されるようにコマ送り再生して表示部１４０に表示する。【選択図】図１
2014094029.tif 000002
【特許請求の範囲】
【請求項１】
所定動作の評価を支援する動作評価支援装置であって、
手本となる前記所定動作の複数のタイミングの動作状態を示した静止画像である、複数の手本静止画像を記憶する記憶手段と、
前記所定動作を含む動作を撮影した動画像である撮影動画像を取得する撮影動画像取得手段と、
前記撮影動画像取得手段が取得した前記撮影動画像から、複数の静止画像を撮影静止画像として取得する撮影静止画像取得手段と、
前記記憶手段に記憶されている前記手本静止画像と、前記撮影静止画像取得手段が取得した前記撮影静止画像を表示する表示手段と、
利用者による操作入力を検出する操作入力検出手段と、を備え、
前記操作入力検出手段が、前記表示手段に表示されている前記撮影静止画像の中から各々の前記手本静止画像に対応する対応静止画像を選択する前記操作入力を検出した時に、前記表示手段は、当該手本静止画像とそれに対応付けられた前記対応静止画像とを対比可能に表示する、
ことを特徴とする動作評価支援装置。
【請求項２】
前記操作入力検出手段が前記手本静止画像と前記対応静止画像をコマ送り再生することを指示する前記操作入力を検出した時に、複数の前記手本静止画像と複数の前記対応静止画像とを、互いに対応する画像が同時に再生されるようにコマ送り再生する第１のコマ送り再生手段を更に有し、
前記表示手段は、前記第１のコマ送り再生手段が再生した前記手本静止画像と前記対応静止画像を対比可能に表示する、
ことを特徴とする請求項１に記載の動作評価支援装置。
【請求項３】
前記記憶手段は、各々の前記手本静止画像の表示時間を示す表示時間情報と、前記撮影静止画像取得手段が取得した各々の前記撮影静止画像に関連づけた撮影時間情報とを更に記憶し、
前記操作入力検出手段が前記手本静止画像と前記対応静止画像をコマ送り再生することを指示する前記操作入力を検出した時に、前記手本静止画像については、当該手本静止画像の前記表示時間情報が示す前記表示時間の間再生し、前記対応静止画像については、当該対応静止画像と時系列的に次の対応静止画像としてそれぞれ選択された前記撮影静止画像に関連付けた前記撮影時間情報から算出される表示時間の間再生するように、前記手本静止画像と前記対応静止画像をコマ送り再生する第２のコマ送り再生手段を更に有し、
前記表示手段は、前記第２のコマ送り再生手段が再生した前記手本静止画像と前記対応静止画像を対比可能に表示する、
ことを特徴とする請求項１に記載の動作評価支援装置。
【請求項４】
前記記憶手段は、各々の前記手本静止画像の表示時間を示す表示時間情報と、前記撮影静止画像取得手段が取得した各々の前記撮影静止画像に関連づけた撮影時間情報とを更に記憶し、
前記手本静止画像の最初の画像を表示開始する時間から最後の画像を表示開始するまでの手本総時間に対する、各手本静止画像の前記表示時間の割合を算出する第１表示時間割合算出手段と、
前記手本静止画像の最初の画像に対応する前記対応静止画像として選択された前記撮影静止画像に関連づけた前記撮影時間情報と、前記手本静止画像の最後の画像に対応する前記対応静止画像として選択された前記撮影静止画像に関連づけた前記撮影時間情報と、各対応静止画像と時系列的にその次の前記対応静止画像としてそれぞれ選択された前記撮影静止画像に関連づけた前記撮影時間情報とに基づいて、各対応静止画像の表示時間の割合を算出する第２表示時間割合算出手段と、
前記操作入力検出手段が前記手本静止画像と前記対応静止画像をコマ送り再生することを指示する前記操作入力を検出した時に、前記手本静止画像と前記対応静止画像の、最初の画像を再生開始する時間から最後の画像を再生開始するまでの総時間が互いに同じで、且つ、各手本静止画像は前記第１表示時間割合算出部が算出した表示時間の割合で再生し、各対応静止画像は前記第２表示時間割合算出部が算出した表示時間の割合で再生するように、コマ送り再生する第３のコマ送り再生手段と、を更に有し、
前記表示手段は、前記第３のコマ送り再生手段が再生した前記手本静止画像と前記対応静止画像を対比可能に表示する、
ことを特徴とする請求項１に記載の動作評価支援装置。
【請求項５】
複数の前記手本静止画像を順にタップしたことを検出した際に前記タップのタイミングに基づいて、前記手本静止画像の前記表示時間を示す前記表示時間情報を変更する表示時間情報変更手段を、
更に有することを特徴とする請求項３又は４に記載の動作評価支援装置。
【請求項６】
特定の前記手本静止画像と時系列的に次の前記手本静止画像にそれぞれ対応する前記対応静止画像として選択された前記撮影静止画像の前記撮影時間情報から得られる時間差情報と、前記特定の手本静止画像の前記表示時間と、を比較した結果に基づいて、前記所定動作のタイミングのずれを検出する動作タイミングずれ検出手段とを更に有し、
前記表示手段は、前記動作タイミングずれ検出手段が検出した動作タイミングのずれを示す情報を表示する、
ことを特徴とする請求項３乃至５のいずれか１項に記載の動作評価支援装置。
【請求項７】
前記記憶手段は、各々の前記手本静止画像に対応付けられた、前記所定動作の評価基準を示す文字情報を更に記憶し、
前記表示手段は、前記文字情報を、対応付けられている前記手本静止画像の近傍に表示し、
前記操作入力検出手段が、前記表示手段に表示されている前記手本静止画像と、それに対応付けられた前記撮影静止画像と、前記文字情報と、に基づいて利用者が判断した評価を示す評価情報の入力を検出した時に、前記表示手段は前記評価情報を表示し、前記記憶手段は前記評価情報を記憶する、
ことを特徴とする請求項１乃至６のいずれか１項に記載の動作評価支援装置。
【請求項８】
所定動作の評価を支援する複数の動作評価支援装置と、前記動作評価支援装置と通信可能に接続されたサーバと、を有する動作評価支援システムであって、
前記サーバは、
手本となる前記所定動作の複数のタイミングの動作状態を示した静止画像である、複数の手本静止画像を記憶する記憶手段と、
前記記憶手段に記憶されている前記手本静止画像を前記動作評価支援装置に送信する送信手段と、を備え、
前記動作評価支援装置は、
前記サーバの送信手段が送信する前記手本静止画像を受信する受信手段と、
前記受信手段が受信した前記手本静止画像を記憶する記憶手段と、
前記所定動作を含む動作を撮影した動画像である撮影動画像を取得する撮影動画像取得手段と、
前記撮影動画像取得手段が取得した前記撮影動画像から、複数の静止画像を撮影静止画像として取得する撮影静止画像取得手段と、
前記記憶手段に記憶されている前記手本静止画像と、前記撮影静止画像取得手段が取得した前記撮影静止画像を表示する表示手段と、
利用者による操作入力を検出する操作入力検出手段と、を備え、
前記操作入力検出手段が、前記表示手段に表示されている前記撮影静止画像の中から各々の前記手本静止画像に対応する対応静止画像を選択する前記操作入力を検出した時に、前記表示手段は、当該手本静止画像とそれに対応付けられた前記対応静止画像とを対比可能に表示する、
ことを特徴とする動作評価支援システム。
【請求項９】
前記動作評価支援装置は、
前記操作入力検出手段が前記手本静止画像と前記対応静止画像をコマ送り再生することを指示する前記操作入力を検出した時に、複数の前記手本静止画像と複数の前記対応静止画像とを、互いに対応する画像が同時に再生されるようにコマ送り再生する第１のコマ送り再生手段を更に有し、
前記表示手段は、前記第１のコマ送り再生手段が再生した前記手本静止画像と前記対応静止画像を対比可能に表示する、
ことを特徴とする請求項８に記載の動作評価支援システム。
【請求項１０】
前記動作評価支援装置の前記記憶手段は、各々の前記手本静止画像の表示時間を示す表示時間情報と、前記撮影静止画像取得手段が取得した各々の前記撮影静止画像に関連づけた撮影時間情報と、を更に記憶し、
前記動作評価支援装置は、前記操作入力検出手段が、前記手本静止画像と前記対応静止画像をコマ送り再生することを指示する前記操作入力を検出した時に、前記手本静止画像については、当該手本静止画像の前記表示時間情報が示す前記表示時間の間再生し、前記対応静止画像については、当該対応静止画像と時系列的に次の対応静止画像としてそれぞれ選択された前記撮影静止画像に関連づけた前記撮影時間情報から算出される表示時間の間再生するように、前記手本静止画像と前記対応静止画像をコマ送り再生する第２のコマ送り再生手段を更に有し、
前記表示手段は、前記第２のコマ送り再生手段が再生した前記手本静止画像と前記対応静止画像を対比可能に表示する、
ことを特徴とする請求項９に記載の動作評価支援システム。
【請求項１１】
前記動作評価支援装置の前記記憶手段は、各々の前記手本静止画像の表示時間を示す表示時間情報と、前記撮影静止画像取得手段が取得した各々の前記撮影静止画像に関連づけた撮影時間情報とを更に記憶し、
前記動作評価支援装置は、
前記手本静止画像の最初の画像を表示開始する時間から最後の画像を表示開始するまでの手本総時間に対する、各手本静止画像の前記表示時間の割合を算出する第１表示時間割合算出手段と、
前記手本静止画像の最初の画像に対応する前記対応静止画像として選択された前記撮影静止画像に関連づけた前記撮影時間情報と、前記手本静止画像の最後の画像に対応する前記対応静止画像として選択された前記撮影静止画像に関連づけた前記撮影時間情報と、各対応静止画像と時系列的にその次の前記対応静止画像としてそれぞれ選択された前記撮影静止画像に関連づけた前記撮影時間情報とに基づいて、各対応静止画像の表示時間の割合を算出する第２表示時間割合算出手段と、
前記操作入力検出手段が前記手本静止画像と前記対応静止画像をコマ送り再生することを指示する前記操作入力を検出した時に、前記手本静止画像と前記対応静止画像の、最初の画像を再生開始する時間から最後の画像を再生開始するまでの総時間が互いに同じで、且つ、各手本静止画像は前記第１表示時間割合算出手段で算出した前記表示時間の割合で再生し、各対応静止画像は前記第２表示時間割合算出手段で算出した前記表示時間の割合で再生するように、コマ送り再生する第３のコマ送り再生手段と、を更に有し、
前記表示手段は、前記第３のコマ送り再生手段が再生した前記手本静止画像と前記対応静止画像を対比可能に表示する、
ことを特徴とする請求項９に記載の動作評価支援システム。
【請求項１２】
前記動作評価支援装置は、
複数の前記手本静止画像を順にタップしたことを検出した際に前記タップのタイミングに基づいて、前記手本静止画像の前記表示時間を示す前記表示時間情報を変更する表示時間情報変更手段を、
更に有することを特徴とする請求項１０又は１１に記載の動作評価支援システム。
【請求項１３】
前記動作評価支援装置は、
特定の前記手本静止画像と時系列的に次の前記手本静止画像にそれぞれ対応する前記対応静止画像として選択された前記撮影静止画像の前記撮影時間情報から得られる時間差情報と、前記特定の手本静止画像の前記表示時間と、を比較した結果に基づいて、前記所定動作のタイミングのずれを検出する動作タイミングずれ検出手段とを更に有し、
前記表示手段は、前記動作タイミングずれ検出手段が検出した動作タイミングのずれを示す情報を表示する、
ことを特徴とする請求項１０乃至１２のいずれか１項に記載の動作評価支援システム。
【請求項１４】
前記動作評価支援装置は、前記所定動作の評価結果を送信する送信手段を更に備え、
前記サーバは、前記動作評価支援装置の前記送信手段が送信した前記評価結果を受信する受信手段を更に備え、
前記動作評価支援装置の前記送信手段は、前記動作タイミングのずれを示す情報を前記評価結果として送信し、
前記サーバの前記受信手段は、前記動作タイミングのずれを示す情報を前記評価結果として受信する、
ことを特徴とする請求項１３に記載の動作評価支援システム。
【請求項１５】
前記動作評価支援装置は、前記所定動作の評価結果を送信する送信手段を更に備え、
前記サーバは、前記動作評価支援装置の前記送信手段が送信した前記評価結果を受信する受信手段を更に備え、
前記動作評価支援装置の前記記憶手段は、各々の前記手本静止画像の対応付けられた、前記所定動作の評価基準を示す文字情報を更に記憶し、
前記表示手段は、前記文字情報を、対応付けられている前記手本静止画像の近傍に表示し、
前記動作評価支援装置の前記操作入力検出手段が、前記表示手段に表示されている前記手本静止画像と、それに対応付けられた前記撮影静止画像と、前記文字情報と、に基づいて利用者が判断した評価を示す評価情報の入力を検出した時に、前記表示手段は前記評価情報を表示し、前記動作評価支援装置の前記記憶手段は前記評価情報を記憶し、前記動作評価支援装置の前記送信手段は、前記評価情報を前記評価結果として送信し、前記サーバの前記受信手段は、前記評価情報を前記評価結果として受信する、
ことを特徴とする請求項８乃至１３のいずれか１項に記載の動作評価支援システム。
【請求項１６】
前記動作評価支援システムは、前記サーバと通信可能に接続された指導者用端末を更に有し、
前記サーバの前記送信手段は、前記受信手段が受信した前記評価結果と、当該評価結果に係る被評価者を識別する被評価者識別情報を前記指導者用端末に送信し、
前記指導者用端末は、前記サーバの前記送信手段が送信した前記評価結果と前記被評価者識別情報を受信する受信手段を備える、
ことを特徴とする請求項１４又は１５に記載の動作評価支援システム。
【請求項１７】
所定動作の評価を支援する動作評価支援方法であって、
手本となる前記所定動作の複数のタイミングの動作状態を示した静止画像である、複数の手本静止画像を記憶する記憶ステップと、
前記所定動作を含む動作を撮影した動画像である撮影動画像を取得する撮影動画像取得ステップと、
前記撮影動画像取得ステップで取得した前記撮影動画像から、複数の静止画像を撮影静止画像として取得する撮影静止画像取得ステップと、
前記記憶ステップで記憶した前記手本静止画像と、前記撮影静止画像取得ステップで取得した前記撮影静止画像を表示する第１の表示ステップと、
前記第１の表示ステップで表示された前記撮影静止画像の中から各々の前記手本静止画像に対応する対応静止画像を選択する操作入力を検出した時に、当該手本静止画像とそれに対応付けられた前記対応静止画像とを対比可能に表示する第２の表示ステップと、
を有することを特徴とする動作評価支援方法。
【請求項１８】
所定動作の評価を支援するコンピュータに、
手本となる前記所定動作の複数のタイミングの動作状態を示した静止画像である、複数の手本静止画像を記憶する記憶手順と、
前記所定動作を含む動作を撮影した動画像である撮影動画像を取得する撮影動画像取得手順と、
前記撮影動画像取得手順で取得した前記撮影動画像から、複数の静止画像を撮影静止画像として取得する撮影静止画像取得手順と、
前記記憶手順で記憶した前記手本静止画像と、前記撮影静止画像取得手順で取得した前記撮影静止画像を表示する第１の表示手順と、
前記第１の表示手順で表示された前記撮影静止画像の中から各々の前記手本静止画像に対応する対応静止画像を選択する操作入力を検出した時に、当該手本静止画像とそれに対応付けられた前記対応静止画像とを対比可能に表示する第２の表示手順と、
を実行させるためのプログラム。
【発明の詳細な説明】
【技術分野】
【０００１】
本発明は、動作評価支援装置、動作評価支援システム、動作評価支援方法及びプログラムに関する。
【背景技術】
【０００２】
近年、スポーツ競技などの動作を撮影し、撮影動画に基づいて動作を評価する手法が活用されている。また、これらの動作を評価する手法にはスマートフォン、タブレット型端末、ノートパソコンなどの携帯可能な小型の情報端末が使用されることもある。
【０００３】
例えば、指導者と被指導者の運動を撮影した動画を一画面に同時表示し、また、それぞれの動画からキャプチャーした静止画像を並べて表示させ、これらを比較して評価する方法が提案されている（例えば、特許文献１、２）。
【０００４】
特許文献１に記載の指導方法においては、実質的に同一場所から、指導者、被指導者の行うスポーツ、演技又は行為等をビデオカメラで撮影し、その撮影画像を同一画面上に表示させ２つの画像を同時に比較検討して両者の違いを被指導者に理解させている。また、指導者又は被指導者のいずれかを動画像とし、他方を静止画像とし、受講者にその関連を理解させている。
【０００５】
特許文献２に記載の基礎運動トレーニング支援装置は、生徒の演技をビデオカメラで撮影して取得した動画データを読み取り、手本となる演技者が演技する動画のデータを読み取り、それぞれをモニタの異なる位置に設けられた再生用窓で同時再生するとともに、複数時点でキャプチャーされる画像を、それぞれの再生用窓の近傍に複数並設した表示部に表示する装置である。
【先行技術文献】
【特許文献】
【０００６】
【特許文献１】特開平７−１４４０３８号公報
【特許文献２】特開２００７−０９７９２７号公報
【発明の概要】
【発明が解決しようとする課題】
【０００７】
特許文献１に記載の指導方法は、同時再生した動画の違いや、静止画と動画の関連を理解することにより指導を支援するものであるが、同時再生した動画の比較は、見る者の主観が影響し、客観的に評価しにくいという問題があった。また、一方が静止画では、連続する動作の流れが分かりづらく、比較が困難であるという問題があった。
【０００８】
特許文献２に記載の支援装置は、同時再生した動画や、動画からキャプチャーした静止画を比較するものであるが、動画からのキャプチャーを手動で行った場合には、キャプチャー操作する者の主観が影響して客観的な評価が困難であるという問題があった。また、自動で同じタイミングでキャプチャーした場合には、指導者と被指導者とで動作の速度が異なる場合に比較できる静止画を取得しにくいという問題もあった。
【０００９】
本発明は、上記実情に鑑みてなされたものであり、利用者が容易かつ客観的に、動作を評価することができる動作評価支援装置等を提供することを目的とする。
【課題を解決するための手段】
【００１０】
上記目的を達成するため、本発明の第１の観点に係る動作評価支援装置は、
所定動作の評価を支援する動作評価支援装置であって、
手本となる前記所定動作の複数のタイミングの動作状態を示した静止画像である、複数の手本静止画像を記憶する記憶手段と、
前記所定動作を含む動作を撮影した動画像である撮影動画像を取得する撮影動画像取得手段と、
前記撮影動画像取得手段が取得した前記撮影動画像から、複数の静止画像を撮影静止画像として取得する撮影静止画像取得手段と、
前記記憶手段に記憶されている前記手本静止画像と、前記撮影静止画像取得手段が取得した前記撮影静止画像を表示する表示手段と、
利用者による操作入力を検出する操作入力検出手段と、を備え、
前記操作入力検出手段が、前記表示手段に表示されている前記撮影静止画像の中から各々の前記手本静止画像に対応する対応静止画像を選択する前記操作入力を検出した時に、前記表示手段は、当該手本静止画像とそれに対応付けられた前記対応静止画像とを対比可能に表示する、
ことを特徴とする。
【００１１】
前記操作入力検出手段が前記手本静止画像と前記対応静止画像をコマ送り再生することを指示する前記操作入力を検出した時に、複数の前記手本静止画像と複数の前記対応静止画像とを、互いに対応する画像が同時に再生されるようにコマ送り再生する第１のコマ送り再生手段を更に有し、
前記表示手段は、前記第１のコマ送り再生手段が再生した前記手本静止画像と前記対応静止画像を対比可能に表示するようにしてもよい。
【００１２】
前記記憶手段は、各々の前記手本静止画像の表示時間を示す表示時間情報と、前記撮影静止画像取得手段が取得した各々の前記撮影静止画像に関連づけた撮影時間情報と、を更に記憶し、
前記操作入力検出手段が前記手本静止画像と前記対応静止画像をコマ送り再生することを指示する前記操作入力を検出した時に、前記手本静止画像については、当該手本静止画像の前記表示時間情報が示す前記表示時間の間再生し、前記対応静止画像については、当該対応静止画像と時系列的に次の対応静止画像としてそれぞれ選択された前記撮影静止画像に関連付けた前記撮影時間情報から算出される表示時間の間再生するように、前記手本静止画像と前記対応静止画像をコマ送り再生する第２のコマ送り再生手段を更に有し、
前記表示手段は、前記第２のコマ送り再生手段が再生した前記手本静止画像と前記対応静止画像を対比可能に表示するようにしてもよい。
【００１３】
前記記憶手段は、各々の前記手本静止画像の表示時間を示す表示時間情報と、前記撮影静止画像取得手段が取得した各々の前記撮影静止画像に関連づけた撮影時間情報とを更に記憶し、
前記手本静止画像の最初の画像を表示開始する時間から最後の画像を表示開始するまでの手本総時間に対する、各手本静止画像の前記表示時間の割合を算出する第１表示時間割合算出手段と、
前記手本静止画像の最初の画像に対応する前記対応静止画像として選択された前記撮影静止画像に関連づけた前記撮影時間情報と、前記手本静止画像の最後の画像に対応する前記対応静止画像として選択された前記撮影静止画像に関連づけた前記撮影時間情報と、各対応静止画像と時系列的にその次の前記対応静止画像としてそれぞれ選択された前記撮影静止画像に関連づけた前記撮影時間情報とに基づいて、各対応静止画像の表示時間の割合を算出する第２表示時間割合算出手段と、
前記操作入力検出手段が前記手本静止画像と前記対応静止画像をコマ送り再生することを指示する前記操作入力を検出した時に、前記手本静止画像と前記対応静止画像の、最初の画像を再生開始する時間から最後の画像を再生開始するまでの総時間が互いに同じで、且つ、各手本静止画像は前記第１表示時間割合算出部が算出した表示時間の割合で再生し、各対応静止画像は前記第２表示時間割合算出部が算出した表示時間の割合で再生するように、コマ送り再生する第３のコマ送り再生手段と、を更に有し、
前記表示手段は、前記第３のコマ送り再生手段が再生した前記手本静止画像と前記対応静止画像を対比可能に表示するようにしてもよい。
【００１４】
複数の前記手本静止画像を順にタップしたことを検出した際に前記タップのタイミングに基づいて、前記手本静止画像の前記表示時間を示す前記表示時間情報を変更する表示時間情報変更手段を、
更に有してもよい。
【００１５】
特定の前記手本静止画像と時系列的に次の前記手本静止画像にそれぞれ対応する前記対応静止画像として選択された前記撮影静止画像の前記撮影時間情報から得られる時間差情報と、前記特定の手本静止画像の前記表示時間と、を比較した結果に基づいて、前記所定動作のタイミングのずれを検出する動作タイミングずれ検出手段とを更に有し、
前記表示手段は、前記動作タイミングずれ検出手段が検出した動作タイミングのずれを示す情報を表示するようにしてもよい。
【００１６】
前記記憶手段は、各々の前記手本静止画像に対応付けられた、前記所定動作の評価基準を示す文字情報を更に記憶し、
前記表示手段は、前記文字情報を、対応付けられている前記手本静止画像の近傍に表示し、
前記操作入力検出手段が、前記表示手段に表示されている前記手本静止画像と、それに対応付けられた前記撮影静止画像と、前記文字情報と、に基づいて利用者が判断した評価を示す評価情報の入力を検出した時に、前記表示手段は前記評価情報を表示し、前記記憶手段は前記評価情報を記憶するようにしてもよい。
【００１７】
また、本発明の第２の観点に係る動作評価支援システムは、
所定動作の評価を支援する複数の動作評価支援装置と、前記動作評価支援装置と通信可能に接続されたサーバと、を有する動作評価支援システムであって、
前記サーバは、
手本となる前記所定動作の複数のタイミングの動作状態を示した静止画像である、複数の手本静止画像を記憶する記憶手段と、
前記記憶手段に記憶されている前記手本静止画像を前記動作評価支援装置に送信する送信手段と、を備え、
前記動作評価支援装置は、
前記サーバの送信手段が送信する前記手本静止画像を受信する受信手段と、
前記受信手段が受信した前記手本静止画像を記憶する記憶手段と、
前記所定動作を含む動作を撮影した動画像である撮影動画像を取得する撮影動画像取得手段と、
前記撮影動画像取得手段が取得した前記撮影動画像から、複数の静止画像を撮影静止画像として取得する撮影静止画像取得手段と、
前記記憶手段に記憶されている前記手本静止画像と、前記撮影静止画像取得手段が取得した前記撮影静止画像を表示する表示手段と、
利用者による操作入力を検出する操作入力検出手段と、を備え、
前記操作入力検出手段が、前記表示手段に表示されている前記撮影静止画像の中から各々の前記手本静止画像に対応する対応静止画像を選択する前記操作入力を検出した時に、前記表示手段は、当該手本静止画像とそれに対応付けられた前記対応静止画像とを対比可能に表示する、
ことを特徴とする。
【００１８】
前記動作評価支援装置は、
前記操作入力検出手段が前記手本静止画像と前記対応静止画像をコマ送り再生することを指示する前記操作入力を検出した時に、複数の前記手本静止画像と複数の前記対応静止画像とを、互いに対応する画像が同時に再生されるようにコマ送り再生する第１のコマ送り再生手段を更に有し、
前記表示手段は、前記第１のコマ送り再生手段が再生した前記手本静止画像と前記対応静止画像を対比可能に表示するようにしてもよい。
【００１９】
前記動作評価支援装置の前記記憶手段は、各々の前記手本静止画像の表示時間を示す表示時間情報と、前記撮影静止画像取得手段が取得した各々の前記撮影静止画像に関連づけた撮影時間情報と、を更に記憶し、
前記動作評価支援装置は、前記操作入力検出手段が、前記手本静止画像と前記対応静止画像をコマ送り再生することを指示する前記操作入力を検出した時に、前記手本静止画像については、当該手本静止画像の前記表示時間情報が示す前記表示時間の間再生し、前記対応静止画像については、当該対応静止画像と時系列的に次の対応静止画像としてそれぞれ選択された前記撮影静止画像に関連づけた前記撮影時間情報から算出される表示時間の間再生するように、前記手本静止画像と前記対応静止画像をコマ送り再生する第２のコマ送り再生手段を更に有し、
前記表示手段は、前記第２のコマ送り再生手段が再生した前記手本静止画像と前記対応静止画像を対比可能に表示するようにしてもよい。
【００２０】
前記動作評価支援装置の前記記憶手段は、各々の前記手本静止画像の表示時間を示す表示時間情報と、前記撮影静止画像取得手段が取得した各々の前記撮影静止画像に関連づけた撮影時間情報とを更に記憶し、
前記動作評価支援装置は、
前記手本静止画像の最初の画像を表示開始する時間から最後の画像を表示開始するまでの手本総時間に対する、各手本静止画像の前記表示時間の割合を算出する第１表示時間割合算出手段と、
前記手本静止画像の最初の画像に対応する前記対応静止画像として選択された前記撮影静止画像に関連づけた前記撮影時間情報と、前記手本静止画像の最後の画像に対応する前記対応静止画像として選択された前記撮影静止画像に関連づけた前記撮影時間情報と、各対応静止画像と時系列的にその次の前記対応静止画像としてそれぞれ選択された前記撮影静止画像に関連づけた前記撮影時間情報とに基づいて、各対応静止画像の表示時間の割合を算出する第２表示時間割合算出手段と、
前記操作入力検出手段が前記手本静止画像と前記対応静止画像をコマ送り再生することを指示する前記操作入力を検出した時に、前記手本静止画像と前記対応静止画像の、最初の画像を再生開始する時間から最後の画像を再生開始するまでの総時間が互いに同じで、且つ、各手本静止画像は前記第１表示時間割合算出手段で算出した前記表示時間の割合で再生し、各対応静止画像は前記第２表示時間割合算出手段で算出した前記表示時間の割合で再生するように、コマ送り再生する第３のコマ送り再生手段と、を更に有し、
前記表示手段は、前記第３のコマ送り再生手段が再生した前記手本静止画像と前記対応静止画像を対比可能に表示するようにしてもよい。
【００２１】
前記動作評価支援装置は、
複数の前記手本静止画像を順にタップしたことを検出した際に前記タップのタイミングに基づいて、前記手本静止画像の前記表示時間を示す前記表示時間情報を変更する表示時間情報変更手段を、
更に有してもよい。
【００２２】
前記動作評価支援装置は、
特定の前記手本静止画像と時系列的に次の前記手本静止画像にそれぞれ対応する前記対応静止画像として選択された前記撮影静止画像の前記撮影時間情報から得られる時間差情報と、前記特定の手本静止画像の前記表示時間と、を比較した結果に基づいて、前記所定動作のタイミングのずれを検出する動作タイミングずれ検出手段とを更に有し、
前記表示手段は、前記動作タイミングずれ検出手段が検出した動作タイミングのずれを示す情報を表示するようにしてもよい。
【００２３】
前記動作評価支援装置は、前記所定動作の評価結果を送信する送信手段を更に備え、
前記サーバは、前記動作評価支援装置の前記送信手段が送信した前記評価結果を受信する受信手段を更に備え、
前記動作評価支援装置の前記送信手段は、前記動作タイミングのずれを示す情報を前記評価結果として送信し、
前記サーバの前記受信手段は、前記動作タイミングのずれを示す情報を前記評価結果として受信するようにしてもよい。
【００２４】
前記動作評価支援装置は、前記所定動作の評価結果を送信する送信手段を更に備え、
前記サーバは、前記動作評価支援装置の前記送信手段が送信した前記評価結果を受信する受信手段を更に備え、
前記動作評価支援装置の前記記憶手段は、各々の前記手本静止画像の対応付けられた、前記所定動作の評価基準を示す文字情報を更に記憶し、
前記表示手段は、前記文字情報を、対応付けられている前記手本静止画像の近傍に表示し、
前記動作評価支援装置の前記操作入力検出手段が、前記表示手段に表示されている前記手本静止画像と、それに対応付けられた前記撮影静止画像と、前記文字情報と、に基づいて利用者が判断した評価を示す評価情報の入力を検出した時に、前記表示手段は前記評価情報を表示し、前記動作評価支援装置の前記記憶手段は前記評価情報を記憶し、前記動作評価支援装置の前記送信手段は、前記評価情報を前記評価結果として送信し、前記サーバの前記受信手段は、前記評価情報を前記評価結果として受信するようにしてもよい。
【００２５】
前記動作評価支援システムは、前記サーバと通信可能に接続された指導者用端末を更に有し、
前記サーバの前記送信手段は、前記受信手段が受信した前記評価結果と、当該評価結果に係る被評価者を識別する被評価者識別情報を前記指導者用端末に送信し、
前記指導者用端末は、前記サーバの前記送信手段が送信した前記評価結果と前記被評価者識別情報を受信する受信手段を備えるようにしてもよい。
【００２６】
また、本発明の第３の観点に係る動作評価支援方法は、
所定動作の評価を支援する動作評価支援方法であって、
手本となる前記所定動作の複数のタイミングの動作状態を示した静止画像である、複数の手本静止画像を記憶する記憶ステップと、
前記所定動作を含む動作を撮影した動画像である撮影動画像を取得する撮影動画像取得ステップと、
前記撮影動画像取得ステップで取得した前記撮影動画像から、複数の静止画像を撮影静止画像として取得する撮影静止画像取得ステップと、
前記記憶ステップで記憶した前記手本静止画像と、前記撮影静止画像取得ステップで取得した前記撮影静止画像を表示する第１の表示ステップと、
前記第１の表示ステップで表示された前記撮影静止画像の中から各々の前記手本静止画像に対応する対応静止画像を選択する操作入力を検出した時に、当該手本静止画像とそれに対応付けられた前記対応静止画像とを対比可能に表示する第２の表示ステップと、
を有することを特徴とする。
【００２７】
また、本発明の第４の観点に係るプログラムは、
所定動作の評価を支援するコンピュータに、
手本となる前記所定動作の複数のタイミングの動作状態を示した静止画像である、複数の手本静止画像を記憶する記憶手順と、
前記所定動作を含む動作を撮影した動画像である撮影動画像を取得する撮影動画像取得手順と、
前記撮影動画像取得手順で取得した前記撮影動画像から、複数の静止画像を撮影静止画像として取得する撮影静止画像取得手順と、
前記記憶手順で記憶した前記手本静止画像と、前記撮影静止画像取得手順で取得した前記撮影静止画像を表示する第１の表示手順と、
前記第１の表示手順で表示された前記撮影静止画像の中から各々の前記手本静止画像に対応する対応静止画像を選択する操作入力を検出した時に、当該手本静止画像とそれに対応付けられた前記対応静止画像とを対比可能に表示する第２の表示手順と、
を実行させることを特徴とする。
【発明の効果】
【００２８】
本発明によれば、利用者が容易かつ客観的に、動作を評価することができる。
【図面の簡単な説明】
【００２９】
【図１】実施形態１に係る動作評価支援装置の内部構成を示すブロック図である。
【図２】動作評価処理の手順を示すフローチャートである。
【図３】動作評価処理の手順を示すフローチャートである。
【図４】（ａ）実施形態に係るプレーヤー・課題選択画面を示す図である。（ｂ）プレーヤー選択のポップアップウィンドウを示す図である。（ｃ）課題選択のポップアップウィンドウを示す図である。
【図５】実施形態１に係る手本表示画面を示す図である。
【図６】実施形態１に係るコマ送り再生画面を示す図である。
【図７】実施形態に係る撮影画面を示す図である。
【図８】実施形態に係る撮影確認画面を示す図である。
【図９】（ａ）実施形態１に係るフレーム選択画面を示す図である。（ｂ）評価入力のポップアップウィンドウを示す図である。
【図１０】実施形態１に係る比較再生画面を示す図である。
【図１１】実施形態１に係る評価結果表示画面を示す図である。
【図１２】実施形態に係る動作評価支援システムの構成を示す図である。
【図１３】実施形態１に係る手本表示画面を示す図である。
【図１４】実施形態２に係る手本表示画面を示す図である。
【図１５】実施形態２に係るコマ送り再生画面を示す図である。
【図１６】実施形態２に係るフレーム選択画面を示す図である。
【図１７】実施形態２に係る比較再生画面を示す図である。
【図１８】実施形態２に係る動作評価支援装置の内部構成を示すブロック図である。
【図１９】実施形態２に係るタイミング変更画面を示す図である。
【発明を実施するための形態】
【００３０】
（実施形態１）
以下、本発明の実施形態１について図１乃至１３を参照して詳細に説明する。
【００３１】
本実施形態１に係る動作評価支援装置１０は、手本動作と評価対象の動作を比較して、動作の評価を支援するための情報端末である。動作評価支援装置１０は、スマートフォン、タブレット型端末、パソコン等の情報端末から構成される。
【００３２】
動作評価支援装置１０は、図１に示すように、制御部１１０、記憶部１２０、通信部１３０、表示部１４０、撮影部１５０、操作部１６０を備える。
【００３３】
記憶部１２０は、フラッシュメモリ等の読み書き可能な不揮発性の半導体メモリや、ハードディスク等から構成される。記憶部１２０には、手本静止画像１２１、撮影動画像１２２、撮影静止画像１２３、対応静止画像１２４、プレーヤー情報１２５等の各種データが記憶される。その他、記憶部１２０には、制御部１１０で実行する制御プログラムも記憶される。
【００３４】
手本静止画像１２１は、手本となる動作を撮像した画像又は描画した画像であり、互いに異なる複数のタイミングの動作状態を示した複数の静止画像である。各手本静止画像１２１に対応付けて、図５に示すような動作の評価基準等の説明を示す文字情報１２１１を記憶部１２０に更に記憶させても良い。
【００３５】
撮影動画像１２２は、プレーヤーが手本静止画像１２１の動作に倣って行った動作を撮影部１５０で撮影して取得した動画像である。ここで、動作評価支援装置１０の操作をする操作者とプレーヤーは同じ人でも別の人でも構わない。動作評価支援装置１０の利用者は、操作者とプレーヤーを含むものとする。
【００３６】
撮影静止画像１２３は、撮影動画像１２２から所定の時間間隔の静止画像を抜き出した画像である。抜き出す静止画像は、動画の全フレーム画像でも、所定のフレーム数毎の画像でもよい。例えば、３０ｆｐｓの動画から全フレームを取り出す場合、１／３０秒間隔の静止画像を撮影静止画像１２３として抜き出すことになる。一方、３フレーム毎に静止画像を取り出す場合には、１／１０秒間隔の静止画像を撮影静止画像１２３として抜き出すことになる。なお、本実施形態では一定間隔で静止画像を抜き出すものを例示しているが、所定間隔とは必ずしも一定間隔である必要はなく、所定の条件に従って自動的に抜き出せるものであればよい。
【００３７】
対応静止画像１２４は、撮影静止画像１２３のうち、各々の手本静止画像１２１に対応する画像として操作者が選択した画像である。なお、学習効果をより高めるためには、当該対応静止画像１２４の選択操作は、プレーヤー自身が行うことが望まれる。
【００３８】
プレーヤー情報１２５は、プレーヤーの名前、所属等の識別情報や、評価結果などを含む情報である。プレーヤー情報１２５は、操作者が操作部１６０に入力した情報等から構成される。
【００３９】
ここで、撮影動画像１２２、撮影静止画像１２３、対応静止画像１２４、プレーヤー情報１２５は、プレーヤー毎に分かれて記憶されている。図１では、プレーヤーＡの記憶情報のみを記載しているが、複数のプレーヤーの動作評価を行う場合には、各プレーヤーの画像、情報が記憶されている。
【００４０】
通信部１３０は、所定の通信方式にて、他の装置と通信する。例えば、手本静止画像１２１を記憶するサーバから、手本静止画像１２１をダウンロードする。
【００４１】
表示部１４０は、例えば、ＬＣＤ（Liquid Crystal Display）等の表示デバイスから構成され、図形、文字、記号などの情報表示出力を行う。本実施形態では、操作部１６０の機能を併せ持つタッチパネルの形態を採っている場合について説明する。
【００４２】
撮影部１５０は、動画撮影機能を有するビデオカメラ等から構成され、プレーヤーの動作を撮影する。
【００４３】
操作部１６０は、操作者による操作入力を検出し、検出した操作入力に係る信号を制御部１１０に出力する。操作部１６０は、タッチパネルや、文字キー、テンキー、方向キー、決定キー等を含むキーボード等から構成される。本実施形態では、タッチパネルから構成される場合について説明する。
【００４４】
制御部１１０は、演算処理装置、内部メモリ等から構成され、記憶部１２０に記憶されている制御プログラムを実行することにより、手本静止画像取得部１１１、静止画像表示制御部１１２、撮影動画像取得部１１３、静止画像抜き出し部１１４、コマ送り再生部１１５、対応静止画像選択部１１６、プレーヤー情報生成部１１７、等の各機能部として機能する。
【００４５】
手本静止画像取得部１１１は、通信部１３０で受信した手本静止画像１２１を取得し、記憶部１２０に記憶させる。また、記憶部１２０に記憶されている手本静止画像１２１を読み出して、コマ送り再生部１１５に出力する。
【００４６】
静止画像表示制御部１１２は、記憶部１２０から読み出した手本静止画像１２１や、静止画像抜き出し部１１４で抜き出した撮影静止画像１２３や、対応静止画像選択部１１６で選択した対応静止画像１２４を、表示部１４０に表示させる制御を行う。その際、プレーヤー情報生成部１１７が生成したプレーヤーの名前や評価結果なども合わせて表示部１４０に表示させる。
【００４７】
撮影動画像取得部１１３は、撮影部１５０で撮影した撮影動画像１２２を取得し、記憶部１２０に記憶させる。
【００４８】
静止画像抜き出し部１１４は、撮影動画像１２２から所定の時間間隔の静止画像を抜き出して、静止画像表示制御部１１２に出力し、また、記憶部１２０に撮影静止画像１２３として記憶させる。
【００４９】
対応静止画像選択部１１６は、撮影静止画像１２３から手本静止画像１２１に対応する画像としてプレーヤーが選択する操作を操作部１６０に対して行った場合に、選択した画像を静止画像表示制御部１１２に出力し、また、記憶部１２０に対応静止画像１２４として記憶させる。さらに、選択した対応静止画像１２４をコマ送り再生部１１５に出力する。
【００５０】
プレーヤー情報生成部１１７は、記憶部１２０に記憶されているプレーヤー情報１２５を読み出して、静止画像表示制御部１１２に出力する。また、操作部１６０に入力された操作者による操作入力に基づき、プレーヤー情報１２５を生成し、静止画像表示制御部１１２に出力し、記憶部１２０に記憶させる。
【００５１】
コマ送り再生部１１５は、手本静止画像取得部１１１から出力された複数の手本静止画像１２１と、対応静止画像選択部１１６から出力された複数の対応静止画像１２４について、互いに対応する画像が同時に表示されるように、順次再生するコマ送り再生を実行し表示部１４０に表示させる。
【００５２】
以上のように構成された動作評価支援装置１０の動作について、図２、３に示すフローチャートに沿って説明する。
【００５３】
図２、３に示す動作評価処理は、制御部１１０が実行する処理であり、動作評価支援装置１０の電源を入れたとき、又は、動作評価処理を開始するための操作者による操作入力が操作部１６０で検出されたときに、処理が開始される。
【００５４】
まず、表示部１４０にログイン画面を表示し、これに対して利用者が利用者名やパスワードなどを入力することによるログイン処理がなされる（ステップＳ１０１）。ここでのログイン処理では、周知の認証方法が用いられた処理が行われる。
【００５５】
ログイン処理が成功した場合には、表示部１４０に、図４（ａ）に示すようなプレーヤー・課題選択画面２０を表示する（ステップＳ１０２）。これに対し、操作者が操作部１６０つまりタッチパネルをタッチした場所が、「プレーヤー選択」の選択ボタンであるか否かを判別する（ステップＳ１０３）。
【００５６】
操作者が「プレーヤー選択」をタッチした場合には（ステップＳ１０３：Ｙｅｓ）、図４（ｂ）に示すようにプレーヤーのリストを示したポップアップウィンドウを表示する（ステップＳ１０４）。これに対して操作者が選択したプレーヤーを動作評価の対象者として決定する（ステップＳ１０５）。ここでは、「筑波太郎」が選択されたとする。
【００５７】
操作者が「プレーヤー選択」、「課題選択」でなく、「ログアウト」をタッチした場合には（ステップＳ１０３：Ｎｏ、ステップＳ１０６：Ｎｏ、ステップＳ１０７：Ｙｅｓ）、ログアウトして本処理を終了する。なお、図４のプレーヤー・課題選択画面２０以降の画面では「ログアウト」の選択ボタンを図示していないが、いずれの画面にも「ログアウト」の選択ボタンは設けられており、任意のタイミングでログアウトして処理を終了することができる。
【００５８】
一方、操作者がタッチした場所が、「プレーヤー選択」、「課題選択」、「ログアウト」いずれでもない場合は（ステップＳ１０３、Ｓ１０６、Ｓ１０７：Ｎｏ）、ステップＳ１０３にもどり、操作者が操作するまで待機する。
【００５９】
操作者が「課題選択」をタッチした場合には（ステップＳ１０３：Ｎｏ、ステップＳ１０６：Ｙｅｓ）、図４（ｃ）に示すように課題のリストを示したポップアップウィンドウを表示する（ステップＳ１０８）。課題のリストは、任意数の階層構造で表されている。図４（ｃ）は、２つの階層から構成されており、「マット」「前転」が順次選択された状態を示している。
【００６０】
次に、静止画像表示制御部１１２は、ステップＳ１０８で表示された課題のリストから選択された課題の手本静止画像１２１を記憶部１２０から読み出し、手本静止画像１２１を含む手本表示画面２１を表示部１４０に表示する（ステップＳ１０９）。手本表示画面２１は、図５に示すように、記憶部１２０の手本静止画像１２１のうち、選択された課題の手本静止画像１２１を時系列に沿って並べて表示し、「課題の選択に戻る」、「課題の動きを確認する」、「課題を実演し撮影する」という選択ボタンを表示している。図５に表示した課題は「マット」の「前転」である。
【００６１】
表示された選択ボタンのうち「課題の動きを確認する」が操作者によりタッチされた場合には、撮影実行が選択されず課題確認が選択されるため（ステップＳ１１０：Ｎｏ、ステップＳ１１１：Ｙｅｓ）、図６に示すようなコマ送り再生画面２１５を表示する（ステップＳ１１２）。ステップＳ１１２では、コマ送り再生部１１５が、記憶部１２０に記憶されている、選択された課題の手本静止画像１２１を順に所定時間表示するコマ送り再生を行う。
【００６２】
コマ送り再生画面２１５には、再生、一時停止、逆再生などの操作ボタン２１５１が表示されており、操作者の操作により任意の再生動作を実行することができる。また、他の操作ボタン２１５２により、何コマ目の静止画像を表示するかを選択することができる。図６では、１０コマのうち１コマ目の静止画像を表示させていることを示している。また、他の操作ボタン２１５３より、コマ送り再生する際に１秒間に何コマ表示させるかを選択することができる。図６では、１秒間に２コマ表示させることを示している。
【００６３】
コマ送り再生終了後、操作者が再生画面を閉じる操作を行った場合（ステップＳ１１３：Ｙｅｓ）、又は、ステップＳ１１１で課題確認が選択されなかった場合（ステップＳ１１１：Ｎｏ）、課題の再選択を行う操作がなされたか否かを判別する（ステップＳ１１４）。「課題の選択に戻る」が操作者によりタッチされて課題の再選択を行う場合には（ステップＳ１１４：Ｙｅｓ）、ステップＳ１０８に戻る。
【００６４】
一方、手本表示画面２１に示された３つの選択ボタンがいずれもタッチされなかった場合には（ステップＳ１１０、Ｓ１１１、Ｓ１１４：Ｎｏ）、ステップＳ１１０に戻って、操作者が操作するまで待機する。
【００６５】
手本表示画面２１において、「課題を実演し撮影する」が操作者によりタッチされて撮影実行が選択された場合には（ステップＳ１１０：Ｙｅｓ）、撮影部１５０を起動して、図７に示すような撮影画面２２を表示部１４０に表示する（ステップＳ１１５）。
【００６６】
撮影画面２２には、中央のモニタ画面２２１に撮影部１５０が現時点で撮影している画像が表示される。撮影画面２２に表示されている「撮影を開始する」「撮影を停止する」をタッチする操作に基づいて、撮影の開始、停止を制御する。
【００６７】
なお、撮影画面２２には、「課題確認へ戻る」「過去の動画に変更」の選択ボタンが表示されているが、「課題確認へ戻る」を操作者がタッチすることにより、手本表示画面２１に戻す。また、「過去の動画に変更」を操作者がタッチすることにより、過去に撮影した動画（記憶部１２０等に格納されている撮影動画像１２２）を読み出す処理を行う。
【００６８】
撮影部１５０による撮影が終わった後に、「撮影した動画を確認する」を操作者がタッチした場合には、図８に示すような撮影画像確認画面２３を表示部１４０に表示する（ステップＳ１１６）。
【００６９】
撮影画像確認画面２３では、モニタ画面２３１の他、再生、一時停止、逆再生等の操作ボタン２３１１が表示されており、操作者のタッチ操作により任意の再生動作を実行することができる。撮影画像を確認した操作者が、「撮影をやり直す」をタッチして撮影のやり直しを選択した場合には（ステップＳ１１７：Ｙｅｓ）、ステップＳ１１５に戻り、撮影を再度実行する。
【００７０】
一方、操作者が撮影の再実行を選択せず、「この画像を保存しフレーム選択へ進む」をタッチして、撮影した動画を保存することを選択した場合には（ステップＳ１１７：Ｎｏ、ステップＳ１１８：Ｙｅｓ）、撮影動画像１２２を記憶部１２０に記憶する（ステップＳ１１９）。
【００７１】
その後、静止画像抜き出し部１１４が記憶部１２０に記憶されている撮影動画像１２２から所定の時間間隔の静止画像を抜き出す（ステップＳ２０１）。例えば、撮影動画像１２２の全フレームの静止画像を抜き出して、撮影静止画像１２３として記憶部１２０に記憶する。
【００７２】
次に、静止画像表示制御部１１２は、図９（ａ）に示すようなフレーム選択画面２４を表示部１４０に表示する（ステップＳ２０２）。フレーム選択画面２４は、手本静止画像１２１が表示される表示枠２４１と、手本静止画像１２１に対応する画像を当てはめるための空きの表示枠２４２と、撮影静止画像１２３が表示される表示枠２４３を含む。
【００７３】
フレーム選択画面２４において、操作者は、撮影静止画像１２３のうち手本静止画像１２１のそれぞれに対応する対応静止画像１２４を選択し、表示枠２４２内に選択した対応静止画像１２４を表示させるように操作部１６０を操作する。具体的には、選択した撮影静止画像１２３を指でタッチしたまま、指をスライドさせ、その撮影静止画像１２３を表示枠２４２内まで移動させる。ここで、手本静止画像１２１に「対応する」静止画像とは、例えば、手本静止画像１２１が示す動作フェーズに似た動作フェーズを示している静止画像を意味する。
【００７４】
このような操作部１６０への操作に基づいて、対応静止画像選択部１１６が、対応静止画像１２４を記憶部１２０に記憶し、静止画像表示制御部１１２又はコマ送り再生部１１５に出力する（ステップＳ２０３）。
【００７５】
図９（ａ）に示すフレーム選択画面２４には、「評価入力」「撮影をやり直す」「比較再生へ」の選択ボタンを表示している。「撮影をやり直す」を操作者がタッチした場合には（ステップＳ２０４：Ｎｏ、ステップＳ２０５：Ｙｅｓ）、ステップＳ１１５に戻り、再度動画の撮影をやり直す。
【００７６】
「評価入力」を操作者がタッチした場合には（ステップＳ２０６：Ｙｅｓ）、図９（ｂ）にしめす評価入力のポップアップウィンドウ２５を表示し、これに対して、操作者は、手本静止画像１２１と対応静止画像１２４を比較した結果に基づいて、評価を入力することができる。図９（ｂ）では、お手本の動作を実施できていれば「できた」、実施できそうであれば「できそう」にチェックを入れることができ、なにができていないかわかった場合には「できていないところがわかった」、わからなかった場合には「わからなかった」にチェックを入れることができる。操作者が入力した評価結果を記憶部１２０にプレーヤー情報１２５として記憶する（ステップＳ２０７）。その後、ステップＳ２０４に戻る。
【００７７】
この時点で対応静止画像１２４を変更する場合には（ステップＳ２０８：Ｙｅｓ）、ステップＳ２０３に戻り、操作者が新たに選択した対応静止画像１２４を表示枠２４２内に重ねるように操作部１６０を操作することで、対応静止画像１２４を変更することができる。
【００７８】
また、「比較再生へ」を選択した場合には（ステップＳ２０４：Ｙｅｓ）、図１０に示すような比較再生画面２６を表示して、コマ送り再生部１１５が比較再生を実行する（ステップＳ２０９）。比較再生画面２６には、手本静止画像１２１のコマ送り再生画面２６１と、対応静止画像１２４のコマ送り再生画面２６２を互いに対比可能に並べて表示している。
【００７９】
それぞれのコマ送り再生画面２６１、２６２には、図６に示すコマ送り再生画面２１５と同様の操作ボタン２６１１、２６２１があり、操作者がこれらのボタンをタッチすることで再生動作を制御する。
【００８０】
また、同時操作用の操作ボタン２６３１も表示しており、これを操作することで、互いに対応する手本静止画像１２１と対応静止画像１２４を同時に表示してコマ送り再生することができる。これにより、動作中の様々なタイミングでの手本とプレーヤーの動作の違いと、動作の流れの違いを確認することができ、プレーヤーの動作の問題点を容易に把握することができる。
【００８１】
またこの時点で、評価を入力したい場合には（ステップＳ２１０：Ｙｅｓ）、評価ボタン２６４をタッチすることで、評価を登録することができる（ステップＳ２１１）。
【００８２】
評価入力をステップＳ２０７で行っており、評価を再入力する必要がなく（ステップＳ２１０：Ｎｏ）、評価を終了する場合には（ステップＳ２１２：Ｙｅｓ）、「次へ」を操作者がタッチすることにより、図１１に示すような評価結果表示画面２７を表示し、ステップＳ２０７、Ｓ２１１で入力した評価結果を表示する（ステップＳ２１４）。
【００８３】
評価を終了せずに（ステップＳ２１２：Ｎｏ）、「選択をやり直す」をタッチして対応静止画像を選択し直す場合には（ステップＳ２１３：Ｙｅｓ）、ステップＳ２０３に戻る。一方、「次へ」「選択をやり直す」のいずれもタッチされなかった場合には（ステップＳ２１２、Ｓ２１３：Ｎｏ）、ステップＳ２１０に戻って、操作者が操作するまで待機する。
【００８４】
評価結果表示画面２７には、「比較再生へ戻る」「プレーヤー・課題選択へ」「次の課題へ」と表示した選択ボタンが表示されている。操作者により「比較再生へ戻る」がタッチされた場合には（ステップＳ２１５：Ｙｅｓ）、ステップＳ２０９にもどる。
【００８５】
「プレーヤー・課題選択へ」がタッチされた場合には（ステップＳ２１６：Ｙｅｓ）ステップＳ１０２に戻り、「次の課題へ」がタッチされた場合には（ステップＳ２１７：Ｙｅｓ）ステップＳ１０９に戻る。即ち、各課題には順番情報が付与されて記憶部１２０に格納されているものであり、「次の課題へ」が入力された場合には、当該順番情報に従って課題が選択されてステップＳ１０９移行処理が続行されるものである。一方、「比較再生へ戻る」「プレーヤー・課題選択へ」「次の課題へ」のいずれもタッチされなかった場合には（ステップＳ２１５、Ｓ２１６、Ｓ２１７：Ｎｏ）、ステップＳ２１５に戻って、操作者が操作するまで待機する。
【００８６】
以上のようにして、動作評価支援装置１０における動作評価処理が実行される。
【００８７】
動作評価支援装置１０は、任意のネットワークを介してサーバ４０と接続されていても良い。例えば、図１２に示すように、無線ＬＡＮルータ５０と動作評価支援装置１０の間は無線通信で接続され、サーバ４０と無線ＬＡＮルータ５０が有線通信で接続されても良い。また、指導者が使用する指導者用端末３０も無線ＬＡＮルータ５０を介してサーバ４０に接続されていても良い。この時、複数の動作評価支援装置１０と、指導者用端末３０と、サーバ４０とで動作評価支援システム１を構築する。
【００８８】
サーバ４０の記憶部には、評価対象の動作の課題について、手本静止画像１２１や課題の動作の評価基準等を含む説明を示す文字情報が記憶されている。手本静止画像１２１等は例えば、指導者用端末３０からサーバ４０に送信するようにしてもよい。
【００８９】
サーバ４０の記憶部に記憶されている手本静止画像１２１等は、動作評価支援装置１０にダウンロードされる。
【００９０】
動作評価支援装置１０の記憶部１２０に記憶されているプレーヤー情報１２５は、評価結果の情報を含むが、このプレーヤー情報１２５は、動作評価支援装置１０がサーバ４０に通信接続された際に、動作評価支援装置１０からサーバ４０にアップロードされる。つまり、サーバ４０には、各利用者が使用する動作評価支援装置１０から評価結果情報が収集され、集計される。
【００９１】
指導者用端末３０は、サーバ４０から評価結果情報を取得する。指導者用端末３０を使用する指導者は、取得した評価結果情報から、プレーヤーの動作の習熟度を知ることができ、習熟度の情報を次の課題の作成にフィードバックすることができる。
【００９２】
また、動作評価支援装置１０の記憶部１２０に記憶されている撮影静止画像１２３をサーバ４０にアップロードするようにしてもよい。サーバ４０に集められた各プレーヤーの撮影静止画像１２３は複数の動作評価支援装置１０で共有化するようにしてもよい。これにより、優れた動作を実演したプレーヤーの撮影静止画像１２３を手本静止画像１２１として、手本表示画面２１、フレーム選択画面２４、比較再生画面２６等に表示させることも可能になる。
【００９３】
各プレーヤーの撮影静止画像１２３を共有化した場合、例えば、図１３に示すように手本表示画面２１に「お手本を変更」の選択ボタンを設け、操作者が「お手本を変更」をタッチして、プレーヤーの名前、撮影時間を選択することにより（選択の際にサムネイル画像を表示させる等してもよい）、他のプレーヤーの優れた演技の画像をお手本として選択することができる。また、自己の過去の演技の画像をお手本として選択することもできる。
【００９４】
以上説明したように、本実施形態において、プレーヤーの動作を撮影した撮影動画像１２２から、所定の時間間隔で抜き出した撮影静止画像１２３を取得し、撮影静止画像１２３の中から、手本静止画像１２１に対応する対応静止画像１２４を選択し、手本静止画像１２１と対応静止画像１２４を並べて表示させると共に、手本静止画像１２１と対応静止画像１２４を互いに対応する画像が同時に表示されるようにコマ送り再生することとした。
【００９５】
これにより、動作中の様々なタイミングでの手本とプレーヤーの動作の違いや、動作の流れの違いを確認することができ、プレーヤーの動作の問題点を容易に把握することができる。特に、撮影静止画像１２３（自分の演技の分割画像）の中から、手本静止画像１２１に対応する対応静止画像１２４を選択させる動作を、プレーヤー自身に行わせることにより、学習効果を飛躍的に高めることができる。撮影静止画像１２３は、前述したように例えば１／１０秒間隔で取得されるため、５秒程度の演技であっても５０枚の分割された静止画像となる。このような比較的多量の画像（自己の演技の分割画像）の中から、手本静止画像１２１に最も近似する動作フェーズの画像をプレーヤー自身に選ばせるという過程を経ることが、非常に重要であり、この過程を経験させることで、プレーヤーは自己の動作状態をより深く理解し、手本との違いについてもより理解できるものである。スポーツその他、動作を習得するにおいては、自分自身の動きを自分でイメージできるようになることが上達のために非常に重要な要素である。本実施形態の動作評価支援装置１０によれば、「自分の演技の多数の分割画像を見ながら手本に最も近似する画像を選択するという動作を、プレーヤー自身に行わせる」という従来には無いものを提供できるため、「自分自身の動きを自分でイメージできるようになる」ことを効果的に支援できるという、従来では得られない優れた効果を奏するものである。
【００９６】
（実施形態２）
以下、本発明の実施形態２について図１４乃至１９を参照して詳細に説明する。
【００９７】
本実施形態に係る動作評価支援システム１は、実施形態１と同様の構成を有している。また、動作評価支援装置１０も実施形態１とほぼ同様の構成を有しているが、手本表示画面５１やフレーム選択画面５４の表示内容や、コマ送り再生方法等に係る部分が実施形態１と異なる。
【００９８】
本実施形態では、手本静止画像１２１に対して表示時間情報が対応付けられて記憶部１２０に格納されている。手本表示画面５１には、図１４に示すように動作のタイミングに関連する拍数の情報が表示された表示枠５１１が手本静止画像１２１の表示枠５１２の上に設けられている。ここで、表示枠５１１に示された円は１拍、半円は０．５拍を示しており、当該拍数の情報は前記表示時間情報に基づいている。静止画像表示制御部１１２は、ｍコマ目の手本静止画像１２１の上には、ｍコマ目の手本静止画像１２１が示す動作フェーズから、ｍ＋１コマ目の手本静止画像１２１が示す動作フェーズとなるまでの拍数を算出して、手本表示画面５１に表示する。例えば、１コマ目の手本静止画像１２１が示す動作フェーズとなってから、２コマ目の手本静止画像１２１が示す動作フェーズとなるまでの拍数は１拍であり、３コマ目の手本静止画像１２１が示す動作フェーズとなってから、４コマ目の手本静止画像１２１が示す動作フェーズとなるまでの拍数は２拍である。当該拍数情報は、実際の動作（若しくは望ましい動作）のタイミングに基づいた情報である。即ち、手本となる動作から抽出される手本静止画像１２１は、必ずしも一定間隔で抽出されるものでは無いため、抽出後の手本静止画像１２１に対して、実際の動作タイミング（若しくは望ましい動作タイミング）に基づいた表示時間情報を付加しているものである。
【００９９】
ステップＳ１１２でコマ送り再生部１１５が実行するコマ送り再生は、図１５に示すようなコマ送り再生画面５１５で表示される。そして、コマ送り再生時の各手本静止画像１２１の表示時間は、表示枠５１１に表示された円、半円で示される拍数に比例する。具体的には、各手本静止画像１２１の表示時間は、表示枠５１１に表示された円の数を１秒あたりの拍数で除算した値である。１秒あたりの拍数は、操作ボタン５１５３で設定される。例えば、図１５の場合は、１秒あたりの拍数は、２であるため、１コマ目の手本静止画像１２１の表示時間は０．５秒であり、３コマ目の手本静止画像１２１の表示時間は１秒となる。このようにコマ送り再生する際に各手本静止画像１２１の表示時間を変えることで、動作の流れを把握しやすくなる。
【０１００】
静止画像表示制御部１１２は、図１６に示すように、フレーム選択画面５４の手本静止画像１２１の上にも、拍数を表示する。フレーム選択画面５４においては、さらに各動作のタイミングをわかりやすくするために、各動作フェーズのタイミングを１コマ目の手本静止画像１２１の動作フェーズからの時間で表したものを合わせて表示している。
【０１０１】
図１６の表示枠５４１に表示された各手本静止画像１２１の左上の数字が各動作フェーズのタイミングを時間表示したものである。つまり、１コマ目の手本静止画像１２１で表す動作フェーズのタイミングを０．００秒としたとき、２コマ目の手本静止画像１２１の動作フェーズは、１コマ目から０．５秒後（１拍後）であるので、この動作フェーズのタイミングは０．５０秒である。また、３コマ目の手本静止画像１２１の動作フェーズは、１コマ目から１秒後（２拍後）であるの、この動作フェーズのタイミングは１．００秒である。
【０１０２】
本実施形態では、撮影静止画像１２３に対して、撮影開始からの経過時間又は撮影時刻等の撮影に関する撮影時間の情報も対応付けられて記憶部１２０に格納されている。静止画像表示制御部１１２は、フレーム選択画面５４に、撮影静止画像１２３の撮影時間情報も表示する。図１６では、撮影静止画像１２３は（１／３０）秒毎の画像であるため、表示枠５４３内の各撮影静止画像１２３の左上の時間は、撮影時間４．００秒から（１／３０）秒毎の時間となっている。
【０１０３】
また、フレーム選択画面５４において、各手本静止画像１２１に対応する撮影静止画像１２３を対応静止画像１２４として選択して、表示枠５４２内に表示させたとき、静止画像表示制御部１１２は、１コマ目の対応静止画像１２４のタイミングを０．００秒として換算した撮影時間情報を表示する。つまり、図１６では、１コマ目の対応静止画像１２４から２コマ目の対応静止画像１２４までの撮影時間の差が０．５７秒であったため、表示枠５４２内の２コマ目の対応静止画像１２４の左上に「０：５７」と表示する。
【０１０４】
さらに、静止画像表示制御部１１２は、各手本静止画像１２１上に表示した各動作フェーズのタイミングに対する、各対応静止画像１２４上に表示した各動作フェーズのタイミングのずれを、動作のタイミングのずれとして算出して表示するようにしても良い。タイミングのずれは、例えば、ｍコマ目と（ｍ＋１）コマ目の手本静止画像１２１の時間差をΔＴｅ−ｍとし、ｍコマ目と（ｍ＋１）コマ目の対応静止画像１２４の時間差をΔＴｐ−ｍとしたとき、（ΔＴｐ−ｍ−ΔＴｅ−ｍ）／ΔＴｅ−ｍ等を計算して求める。ここで、ΔＴｅ−ｍはｍコマ目の手本静止画像１２１の拍数から求められる表示時間に該当する。図１６においては、２コマ目の動作フェーズのタイミングのずれを＋１４％と示している。
【０１０５】
また、手本静止画像１２１の最初の画像の動作フェーズのタイミングから最後の画像の動作フェーズのタイミングまでの総時間Ｔｅ−ａｌｌと、対応静止画像１２４の最初の画像の撮影時間から最後の画像の撮影時間までの総時間Ｔｐ−ａｌｌから、（Ｔｐ−all−Ｔｅ−all）／Ｔｅ−allで求められる値を、全体のタイミングのずれとして表示しても良い。図１６は、３コマ目までの対応静止画像１２４の選択が終了した時点の画面であるため、３コマ目までの動作時間の全体のずれ＋１７％を表示している。
【０１０６】
ステップＳ２０９で実行する比較再生は、図１７に示すような比較再生画面５６で表示されるが、互いに対応する手本静止画像１２１と対応静止画像１２４を対比可能な状態で再生できる。手本静止画像１２１の表示時間は、表示枠５１１に表示された円、半円で示される拍数に比例する。例えば、コマ送り再生画面５１５のコマ送り再生と同様に、手本静止画像１２１の表示時間は、１コマ目の表示時間が０．５秒であり、３コマ目の表示時間が１秒となる。
【０１０７】
一方、対応静止画像１２４は、撮影静止画像１２３から選択されたものであるため、記憶部１２０に記憶されている撮影開始からの経過時間又は撮影時刻等の撮影に関する撮影時間の情報に基づく表示時間で表示する。各対応静止画像１２４の撮影時間と、時系列的に次のコマの対応静止画像１２４の撮影時間の時間差に相当する表示時間で表示させる。つまり、対応静止画像１２４は、各対応静止画像１２４が示す動作フェーズから次のコマの対応静止画像１２４が示す動作フェーズまでに実際にかかった時間で表示することができる。
【０１０８】
本実施形態では、比較再生のモードを同期モード、実時間再生モード、総時間調整モードのうちから選択されたモードで、コマ送り再生部１１５がコマ送り再生する。ユーザが操作ボタン５６３１のいずれかのモードにチェックすることで、モードの選択がなされる。
【０１０９】
比較再生のモードとして同期モードが選択されている場合には、実施形態１の比較再生と同様に、コマ送り再生部１１５は、手本静止画像１２１と対応静止画像１２４が、互いに対応する画像が同時に表示されるようにコマ送り再生する。
【０１１０】
比較再生モードとして実時間再生モードが選択されている場合には、手本静止画像１２１については、ステップＳ１１２で実行するコマ送り再生と同様に、各手本静止画像１２１に対応付けられた拍数から求められる表示時間の間表示するようにコマ送り再生部１１５がコマ送り再生する。対応静止画像１２４については、撮影時間差に基づく表示時間の間表示するようにコマ送り再生部１１５がコマ送り再生する。
【０１１１】
実時間再生モードの対応静止画像１２４のコマ送り再生について具体的に説明する。記憶部１２０からそれぞれの撮影静止画像１２３の撮影時間情報を読み出すことにより、各対応静止画像１２４の動作フェーズから、時系列的に次のコマの対応静止画像１２４の動作フェーズとなるまでの実際にかかった時間を計算する。そして、求められた時間を対応静止画像１２４の各コマの表示時間として、対応静止画像１２４をコマ送り再生する。
【０１１２】
例えば、１コマ目の対応静止画像１２４の撮影時刻から２コマ目の対応静止画像１２４の撮影時刻までの時間差が０．５７秒間であったことに基づいて、１コマ目の対応静止画像１２４を０．５７秒間表示するものである。実時間再生モードにおいては、手本静止画像１２１と対応静止画像１２４は同時操作用の操作ボタン５６３１によって、同時に再生スタートできるため、手本と自分の動作の間のタイミングのずれをわかり易く認識できるものである。
【０１１３】
比較再生モードとして総時間調整モードが選択されている場合には、実時間再生モードと同様に、手本静止画像１２１は拍数に基づいた表示時間で再生し、対応静止画像１２４は撮影時間差に基づいた表示時間で再生するが、手本静止画像１２１と対応静止画像１２４の動作全体にかかる総時間が同じになるように調整して再生する。
【０１１４】
総時間調整モードでの比較再生機能を実現するために、図１８に示すように、制御部１１０は手本表示時間割合算出部１１０１、対応表示時間割合算出部１１０２の各機能部を更に有する。
【０１１５】
手本表示時間割合算出部１１０１は、手本静止画像１２１の最初の画像を表示開始する時間から最後の画像を表示開始するまでの総時間Ｔｅ−ａｌｌを求め、ｍコマ目の手本静止画像の拍数から求められる表示時間ΔＴｅ−ｍの、総時間Ｔｅ−ａｌｌに対する割合ΔＴｅ−ｍ／Ｔｅ−ａｌｌを算出して、コマ送り再生部１１５に出力する。
【０１１６】
対応表示時間割合算出部１１０２は、手本静止画像１２１の最初の画像に対応する対応静止画像１２４として選択された撮影静止画像１２３の撮影時間と、手本静止画像１２１の最後の画像に対応する対応静止画像１２４として選択された撮影静止画像１２３の撮影時間との時間差から、対応静止画像１２４の最初の画像の動作フェーズから最後の画像の動作フェーズまでの総時間Ｔｐ−ａｌｌを求める。また、ｍコマ目の対応静止画像１２４の動作フェーズから（ｍ＋１）コマ目の対応静止画像１２４の動作フェーズまでの時間を、ｍコマ目の対応静止画像１２４の表示時間ΔＴｐ−ｍとして求める。そして、各対応静止画像１２４の表示時間の、総時間Ｔｐ−ａｌｌに対する割合ΔＴｐ−ｍ／Ｔｐ−ａｌｌを算出して、コマ送り再生部１１５に出力する。
【０１１７】
コマ送り再生部１１５は、手本静止画像１２１と対応静止画像１２４の動作全体にかかる総時間が同じになるように調整して再生する。例えば、総時間をＴｅ−ａｌｌに合わせる場合、手本表示時間割合算出部１１０１からΔＴｅ−ｍ／Ｔｅ−ａｌｌが入力され、対応表示時間割合算出部１１０２からΔＴｐ−ｍ／Ｔｐ−ａｌｌが入力されると、ｍコマ目の手本静止画像１２１は表示時間ΔＴｅ−ｍの間、再生し、ｍコマ目の対応静止画像１２４は表示時間（ΔＴｐ−ｍ／Ｔｐ−ａｌｌ）×Ｔｅ−ａｌｌの間、再生することとなる。
【０１１８】
以上のような構成を有することにより、比較再生モードとして総時間調整モードが選択されている場合には手本静止画像１２１と対応静止画像１２４の動作全体にかかる総時間が同じになるように調整して、手本静止画像１２１は拍数に基づいた表示時間の割合に合わせて再生し、対応静止画像１２４は実時間に基づいた表示時間の割合に合わせて再生するため、どの動作フェーズでタイミングのずれがあるか、容易に把握することができる。
【０１１９】
また、比較再生画面５６には、フレーム選択画面５４にも表示したタイミングのずれを表示するようにしても良い。図１７のように全体のタイミングのずれを表示しても良いし、コマ毎のずれのうち、最もずれの大きかったコマを特定して出力してもよい。
【０１２０】
例えば、手本静止画像１２１の３コマ目の動作フェーズから４コマ目の動作フェーズまでの理想となる時間、つまり、３コマ目の手本静止画像１２１の表示時間は、円２個分で１秒であるのに対し、対応静止画像１２４の３コマ目の動作フェーズから４コマ目の動作フェーズまでに実際にかかった時間が１．２５秒であった場合、＋２５％のずれであったと言える。この３コマ目から４コマ目までのタイミングのずれが最も大きかった場合には、４コマ目の動作フェーズに入るタイミングがもっとも遅れ、＋２５％遅れたことがわかるように表示する。
【０１２１】
また、手本の全体動作（動作開始から動作終了）の時間に対する各動作フェーズの割合と、プレーヤーの全体動作の時間に対する各動作フェーズの割合と、を比較して評価結果として出力するようにしてもよい。即ち、例えば、お手本の全体動作が４秒で手本静止画像１２１の３コマ目の動作フェーズから４コマ目の動作フェーズまでの時間が１秒であり、プレーヤーの全体動作が６秒、対応静止画像１２４の３コマ目の動作フェーズから４コマ目の動作フェーズまでの時間が１．５秒である場合、全体動作に対する割合としては、両者は同等であるので、動作タイミングとしてのずれは無い（お手本と同じ）と判断するようなものである。
【０１２２】
このようにして動作タイミングのずれを計算した結果を評価結果として表示させる。図１７は、タイミングのずれの総和が＋４５％であることを示している。この計算結果は、操作者の判断の「できた」などの評価と合わせてプレーヤー情報１２５に記憶される。また、動作評価支援装置１０がサーバ４０に通信接続されている場合には、タイミングのずれの計算結果を含む評価結果が、サーバ４０に送信されることとなる。
【０１２３】
また、比較再生画面５６において、「タイミングを変更する」ボタンが選択された場合には、手本静止画像１２１の表示時間情報を変更することができる。
【０１２４】
タイミング変更機能を実現するために、図１８に示すように、制御部１１０はタイミング変更部１１０３の機能部を更に有する。タイミング変更部１１０３によるタイミングの変更方法は任意であり、手でタイミングを秒数で手入力してもよい。
【０１２５】
他のタイミングの入力方法として、図１９に示すようなタイミング入力画面において、動作タイミングを変更したい連続する手本静止画像１２１上を順にタップすることで、タップする時間間隔に基づく表示時間を入力する方法がある。
【０１２６】
図１９において、上段は連続する手本静止画像１２１であり、太枠で囲まれた手本静止画像１２１がタップ入力を待っている画像である。下段は、上段の手本静止画像１２１から抜き出した連続する２画像であり、太枠で囲まれた手本静止画像１２１がタップ入力を待っている画像である。太枠で囲まれた手本静止画像１２１がタップされると、画像が右隣の画像と切り替わる。
【０１２７】
つまり下段の太枠で囲まれた手本静止画像１２１の位置をタップし続けることにより、タップする時間間隔に基づく各手本静止画像１２１の表示時間を入力することができる。入力された表示時間は、図１９の上段に記載されている円や円の一部で示しても良いし、秒数でも良い。
【０１２８】
このようにして、手本静止画像１２１の表示時間を変更することができ、手本のタイミングを自分に適したタイミングに変更することができる。特に、自己の過去の演技の画像をお手本として選択している場合には、自分の動作に適したタイミングを突き詰めることができる。
【０１２９】
以上説明したように、本実施形態においては、特定の前記手本静止画像１２１の表示時間と、特定の手本静止画像１２１に対応付けられた対応静止画像１２４として選択された撮影静止画像１２３を撮影した撮影時刻と次のコマの手本静止画像１２１に対応付けられた対応静止画像１２４として選択された撮影静止画像１２３の撮像時刻等の撮影時間情報に基づいて、手本静止画像１２１と対応静止画像１２４を比較再生したり、動作のタイミングのずれを計測し、計測した結果を表示することとした。
【０１３０】
これにより、一連の動作のうち、どの動きでタイミングのずれが生じているかを把握することができる。
【０１３１】
このように本発明は、所定動作を撮影した撮影動画像から複数の撮影静止画像を取得し、撮影静止画像の中より手本静止画像に対応する対応静止画像を選択し、手本静止画像と対応静止画像を並べて表示させると共に、互いに対応する手本静止画像と対応静止画像とが対比可能に表示されるようにコマ送り再生することとした。これにより、利用者が容易かつ客観的に、動作を評価することができる。
【０１３２】
なお、本発明は、上記実施形態に限定されず、本発明の要旨を逸脱しない範囲での種々の変更は勿論可能である。
【０１３３】
上記実施形態では、手本静止画像１２１は、ネットワークを経由して、サーバ４０よりダウンロードするとしたが、ＵＳＢケーブル等でサーバ４０と動作評価支援装置１０とを直接接続してダウンロードするようにしてもよい。また、サーバ４０と動作評価支援装置１０を直接接続した際に、手本静止画像１２１、撮影静止画像１２３、プレーヤー情報１２５を含む情報について、サーバ４０と動作評価支援装置１０の間でファイル同期をするようにして、最新の手本静止画像１２１や評価結果を共有するようにしてもよい。あるいは、ＳＤカードなどの取り外し可能な記録媒体に手本静止画像１２１等のデータをコピーして、他の動作評価支援装置１０にデータを提供するようにしてもよい。
【０１３４】
また、動作評価支援装置１０に撮影部１５０を備え、撮影部１５０で撮影した動画像を取得するとしたが、外部の撮影装置で撮影した画像を、無線ネットワークや通信ケーブル等を経由して、或いは、動作評価支援装置１０に接続可能な記憶媒体を介して取得するようにしてもよい。
【０１３５】
また、実施形態２において、手本静止画像１２１の表示時間の拍数を円で表したが、時間間隔をそのまま表示し、タイミングの時間を表示しないようにしてもよいし、他の表示形式（アイコンや、言葉で表現したもの）によってもよい。さらにコマ送り再生時に、拍数に対応させた音声を出力させることによってタイミングを認知させたり、手本表示画面５１等において別途「タイミング音再生」のような機能を備えさせることで、拍数情報に対応した音声を出力させることで、タイミングを耳で認知できるようにしてもよい。
【０１３６】
また、上記実施形態の制御部１１０が実行したプログラムを、既存のスマートフォンやタブレット端末等の情報端末に適用することで、当該端末を本発明に係る動作評価支援装置１０として機能させることも可能である。
【０１３７】
このようなプログラム及び必要な情報（プログラムとは別途手本静止画像１２１などの配布可能な各種情報）の配布方法は任意であり、例えば、ＣＤ−ＲＯＭ（Compact Disk Read-Only Memory）、ＤＶＤ（Digital Versatile Disk）、ＭＯ（Magneto Optical Disk）、メモリカード等のコンピュータ読み取り可能な記録媒体に格納して配布してもよいし、携帯電話網やインターネット等の通信ネットワークを介して配布してもよい。
【符号の説明】
【０１３８】
１…動作評価支援システム
１０…動作評価支援装置
１１０…制御部
１１１…手本静止画像取得部
１１２…静止画像表示制御部
１１３…撮影動画像取得部
１１４…静止画像抜き出し部
１１５…コマ送り再生部
１１６…対応静止画像選択部
１１７…プレーヤー情報生成部
１２０…記憶部
１２１…手本静止画像
１２１１…文字情報
１２２…撮影動画像
１２３…撮影静止画像
１２４…対応静止画像
１２５…プレーヤー情報
１３０…通信部
１４０…表示部
１５０…撮影部
１６０…操作部
２０…プレーヤー・課題選択画面
２１…手本表示画面
２１５…コマ送り再生画面
２１５１、２１５２、２１５３…操作ボタン
２２…撮影画面
２２１…モニタ画面
２３…撮影画像確認画面
２３１…モニタ画面
２３１１…操作ボタン
２４…フレーム選択画面
２４１、２４２、２４３…表示枠
２５…評価入力のポップアップウィンドウ
２６…比較再生画面
２６１、２６２…コマ送り再生画面
２６１１、２６２１、２６３１…操作ボタン
２６４…評価ボタン
２７…評価結果表示画面
３０…指導者用端末
４０…サーバ
５０…無線ＬＡＮルータ
５１…手本表示画面
５１１、５１２…表示枠
５１５…コマ送り再生画面
５１５１、５１５２、５１５３…操作ボタン
５４…フレーム選択画面
５４１、５４２、５４３…表示枠
５６…比較再生画面
５６３１…操作ボタン
５８…タイミング変更画面
１１０１…手本表示時間割合算出部
１１０２…対応表示時間割合算出部
１１０３…タイミング変更部
【図１】
2014094029.tif 000003
【図２】
2014094029.tif 000004
【図３】
2014094029.tif 000005
【図４】
2014094029.tif 000006
【図７】
2014094029.tif 000007
【図８】
2014094029.tif 000008
【図１１】
2014094029.tif 000009
【図１２】
2014094029.tif 000010
【図１８】
2014094029.tif 000011
【図５】
2014094029.tif 000012
【図６】
2014094029.tif 000013
【図９】
2014094029.tif 000014
【図１０】
2014094029.tif 000015
【図１３】
2014094029.tif 000016
【図１４】
2014094029.tif 000017
【図１５】
2014094029.tif 000018
【図１６】
2014094029.tif 000019
【図１７】
2014094029.tif 000020
【図１９】
2014094029.tif 000021